(57)【要約】【課題】優先的に故障措置をとるべき通信装置の故障を通知する警報メッセージを優先的に表示すること。【解決手段】本発明のネットワーク監視システム１は、通信装置５から通信装置５の設置場所に関する場所情報を含むと共に故障の旨を示す警報メッセージを受信する警報メッセージ受信部Ａ１（警報メッセージ収集部Ａ１３）と、少なくとも場所情報に対する条件を含む重要警報条件情報を格納する重要警報情報データベースＤ１と、警報メッセージ受信部Ａ１が受信した警報メッセージの中から重要警報条件情報が含む条件を満たす警報メッセージを抽出する警報メッセージ収集部Ａ１３と、警報メッセージ収集部Ａ１３が抽出した警報メッセージを表示する警報メッセージ表示部Ｅ１と、を備えることを特徴とする。【選択図】図１
2007156805.tif 000002
【特許請求の範囲】
【請求項１】
通信装置から前記通信装置の設置場所に関する場所情報を含むと共に故障の旨を示す警報メッセージを受信する警報メッセージ受信手段と、
少なくとも前記通信装置の設置場所に対する条件を含む重要警報条件情報を格納する重要警報情報格納手段と、
前記警報メッセージ受信手段が受信した警報メッセージの中から前記重要警報条件情報が含む前記条件を満たす警報メッセージを抽出する警報メッセージ収集手段と、
前記警報メッセージ収集手段が抽出した警報メッセージを表示する警報メッセージ表示手段と、
を備えることを特徴とするネットワーク監視システム。
【請求項２】
前記警報メッセージ受信手段が単位時間当たりに受信する警報メッセージの数に基づいて動作モードを第一動作モード又は第二動作モードに設定する状態監視手段を更に備え、
前記警報メッセージ表示手段は、前記状態監視手段によって前記第一動作モードに設定されている場合に前記警報メッセージ受信手段が受信した警報メッセージを対象にして表示し、前記状態監視手段によって前記第二動作モードに設定されている場合に前記警報メッセージ収集手段が抽出した警報メッセージを対象にして表示することを特徴とする請求項１記載のネットワーク監視システム。
【請求項３】
前記警報メッセージ表示手段は、前記動作モードが前記第一動作モードから前記第二動作モードへ設定されると、前記第一動作モードにおいて表示していた警報メッセージを削除することを特徴とする請求項２に記載のネットワーク監視システム。
【請求項４】
前記第一動作モードに設定されている場合に前記警報メッセージ受信手段が受信した警報メッセージを対象に格納して前記警報メッセージ受信手段が新たに受信した警報メッセージが既に格納した警報メッセージに相当する場合に当該新たに受信した警報メッセージを削除し、前記第二動作モードに設定されている場合に前記警報メッセージ収集手段が抽出した警報メッセージを対象にして格納して前記警報メッセージ収集手段が新たに抽出した警報メッセージが既に格納した警報メッセージに相当する場合に当該新たに抽出した警報メッセージを削除する警報メッセージ管理手段を備え、
前記警報メッセージ表示手段は、新たに受信又は抽出した警報メッセージのうち前記警報メッセージ管理手段によって既に格納された警報メッセージ以外の警報メッセージを表示し、
前記警報メッセージ管理手段は、前記状態監視手段によって前記動作モードが前記第一動作モードから前記第二動作モードへ設定されると、前記第一動作モードにおいて格納した警報メッセージを削除することを特徴とする請求項３に記載のネットワーク監視システム。
【請求項５】
通信装置から前記通信装置の設置場所に関する場所情報を含むと共に故障の旨を示す警報メッセージを受信する警報メッセージ受信ステップと、
少なくとも前記通信装置の設置場所に対する条件を含む重要警報条件情報を重要警報情報格納手段に格納する格納ステップと、
前記警報メッセージ受信手段が受信した警報メッセージの中から前記条件を満たす警報メッセージを抽出する警報メッセージ収集ステップと、
前記警報メッセージ収集手段が抽出した警報メッセージを表示する警報メッセージ表示ステップと、
を備えることを特徴とするネットワーク監視方法。
【発明の詳細な説明】
【技術分野】
【０００１】
本発明は、ネットワーク監視システム及びネットワーク監視方法に関する。
【背景技術】
【０００２】
ネットワークを一元的に管理するオペレーションシステムがある。例えば、通信網を構築する複数の通信装置と通信可能に構成され、通信装置が故障した際に、警報メッセージを受信して表示するネットワーク監視システムがある。このようなネットワーク監視システムでは、ネットワークの多様化及び大規模化に伴い、取扱う通信装置の数が増大している。
【０００３】
このような状態で、天災などにより同時に多くの通信装置において故障が発生すると、多くの警報メッセージが同時にネットワーク監視システムに送信されることとなる。よって、ネットワーク監視システムの負荷が増大して故障を知らせる警報メッセージの表示が遅れる。また、膨大な量の警報メッセージが表示されるために、保守者が優先して故障措置を行わなければならない故障を特定できない場合、又は、重要なメッセージを見落とす場合がある。
【０００４】
そこで、単位時間当たりに所定の閾値よりも多く警報メッセージを受信した場合に、通信装置によるメッセージの発行を規制する技術がある（下記特許文献１参照）
【特許文献１】特開平１１−９６１２９号公報
【発明の開示】
【発明が解決しようとする課題】
【０００５】
ところで、複数の通信装置が接続されたネットワークでは、ある通信装置群を管理する特定の通信装置が故障すると、その通信装置群が機能不能に陥る。また、人口密度が高いエリアを管理する特定の通信装置が故障すると影響が大きい。このような特定の通信装置が故障した場合は、優先的に故障措置をとることが必要である。
【０００６】
しかしながら、上記特許文献１に記載の技術では、優先的に故障措置をとるべき通信装置の故障を通知する警報メッセージが規制されて表示できない場合がある。
【０００７】
本発明は、上記問題点を解消する為になされたものであり、優先的に故障措置をとるべき通信装置の故障を通知する警報メッセージを優先的に表示するネットワーク監視システム及びネットワーク監視方法を提供することを目的とする。
【課題を解決するための手段】
【０００８】
本発明は、優先的に故障措置をとるべき通信装置が特定の場所に固定して設置されることに着目した発明者の発想によるものである。
【０００９】
本発明のネットワーク監視システムは、通信装置から通信装置の設置場所に関する場所情報を含むと共に故障の旨を示す警報メッセージを受信する警報メッセージ受信手段と、少なくとも通信装置の設置場所に対する条件を含む重要警報条件情報を格納する重要警報情報格納手段と、警報メッセージ受信手段が受信した警報メッセージの中から重要警報条件情報が含む条件を満たす警報メッセージを抽出する警報メッセージ収集手段と、警報メッセージ収集手段が抽出した警報メッセージを表示する警報メッセージ表示手段と、を備えることを特徴とする。
【００１０】
また、本発明のネットワーク監視方法は、通信装置から通信装置の設置場所に関する場所情報を含むと共に故障の旨を示す警報メッセージを受信する警報メッセージ受信ステップと、少なくとも通信装置の設置場所に対する条件を含む重要警報条件情報を重要警報情報格納手段に格納する格納ステップと、警報メッセージ受信手段が受信した警報メッセージの中から条件を満たす警報メッセージを抽出する警報メッセージ収集ステップと、警報メッセージ収集手段が抽出した警報メッセージを表示する警報メッセージ表示ステップと、を備えることを特徴とする。
【００１１】
本発明によれば、警報メッセージ受信手段が場所情報を含む警報メッセージを受信し、警報メッセージ収集手段が重要警報情報格納手段に格納された通信装置の設置場所に対する条件を満たす警報メッセージを受信した警報メッセージの中から抽出するので、受信した警報メッセージの中から優先的に故障措置をとるべき通信装置から受信した警報メッセージを抽出することができる。また、警報メッセージ表示手段は、警報メッセージ収集手段が抽出した警報メッセージを表示するので、重要警報条件情報に含まれる条件を満たさない警報メッセージを排除して優先的に故障措置をとるべき通信装置からの警報メッセージを優先的に表示することができる。
【００１２】
また、本発明のネットワーク監視システムは、警報メッセージ受信手段が単位時間当たりに受信する警報メッセージの数に基づいて動作モードを第一動作モード又は第二動作モードに設定する状態監視手段を更に備え、警報メッセージ表示手段は、状態監視手段によって第一動作モードに設定されている場合に警報メッセージ受信手段が受信した警報メッセージを対象にして表示し、状態監視手段によって第二動作モードに設定されている場合に警報メッセージ収集手段が抽出した警報メッセージを対象にして表示することも好ましい。
【００１３】
このように、状態監視手段によって第二動作モードに設定されている場合に警報メッセージ表示手段が警報メッセージ収集手段によって抽出された警報メッセージを対象にして表示するので、受信する警報メッセージが多い緊急時に優先的に故障措置をとるべき通信装置の故障を通知する警報メッセージを優先的に表示することができる。また、状態監視手段によって第一動作モードに設定されている場合に警報メッセージ表示手段が警報メッセージ受信手段によって受信された警報メッセージを対象にして表示するので、受信する警報メッセージが少ない通常時に再び受信した警報メッセージであって第二動作モードにおいて表示されなかった警報メッセージを含めて受信した警報メッセージを表示することができる。すなわち、緊急時に重要な警報メッセージをより効率的に表示できると共に、緊急状態が解除されると受信した警報メッセージを漏れなく表示することができる。
【００１４】
また、本発明のネットサーク監視システムの警報メッセージ表示手段は、動作モードが第一動作モードから第二動作モードへ設定されると、第一動作モードにおいて表示していた警報メッセージを削除することも好ましい。
【００１５】
このようにすることにより、警報メッセージ表示手段は、第二動作モードにおいて新たに表示することとなる警報メッセージのみを表示することができる。
【００１６】
また、本発明のネットワーク管理システムは、第一動作モードに設定されている場合に警報メッセージ受信手段が受信した警報メッセージを対象に格納して警報メッセージ受信手段が新たに受信した警報メッセージが既に格納した警報メッセージに相当する場合に当該新たに受信した警報メッセージを削除し、第二動作モードに設定されている場合に警報メッセージ収集手段が抽出した警報メッセージを対象にして格納して警報メッセージ収集手段が新たに抽出した警報メッセージが既に格納した警報メッセージに相当する場合に当該新たに抽出した警報メッセージを削除する警報メッセージ管理手段を備え、警報メッセージ表示手段は、新たに受信又は抽出した警報メッセージのうち警報メッセージ管理手段によって既に格納された警報メッセージ以外の警報メッセージを表示し、警報メッセージ管理手段は、状態監視手段によって動作モードが第一動作モードから第二動作モードへ設定されると、第一動作モードにおいて格納した警報メッセージを削除することも好ましい。
【００１７】
このように警報メッセージ管理手段が、第一動作モードにおいて警報メッセージ受信手段が受信した警報メッセージを対象に格納し、第二動作モードにおいて警報メッセージ収集手段が抽出した警報メッセージを対象に格納するので、警報メッセージ表示手段が表示する警報メッセージを把握することができる。そして、新たに受信又は抽出された警報メッセージが既に格納した警報メッセージに相当する場合に、警報メッセージ管理手段が、新たに受信又は抽出された警報メッセージを削除するので、既に警報メッセージ表示手段によって表示されている警報メッセージを新たに表示することを防止できる。また、警報メッセージ管理手段は、第一動作モードから第二動作モードへ設定されると第一動作モードにおいて格納した警報メッセージを削除するので、警報メッセージ表示手段が第二動作モードにおいて新たに表示することとなる警報メッセージのみを格納することができる。
【発明の効果】
【００１８】
本発明のネットワーク監視システム及びネットワーク監視方法によれば、優先的に故障措置をとるべき通信装置の故障を通知する警報メッセージを優先的に表示することができる。
【発明を実施するための最良の形態】
【００１９】
以下に図面を参照しながら本実施形態に係るネットワーク監視システムについて説明する。図１は、本実施形態に係るネットワーク監視システムのブロック図である。本実施形態に係るネットワーク監視システム１は、管理対象である複数の通信装置５から故障情報を含む警報メッセージを受信して表示するシステムである。
【００２０】
通信装置５は、ネットワークに属してネットワークにおける通信端末の通信を制御及び管理する装置である。例えば、基地局、基地局制御装置、交換機などが通信装置５に相当する。これらの通信装置５は、ネットワークの管理上、通信装置５の機能に応じて適切な場所に固定して配置される。なお、通信装置５は、該通信装置５の管理対象となる通信装置と接続されて警報メッセージを収集する機能を有するオペレーション装置であってもよい。
【００２１】
警報メッセージは、通信装置５の設置場所に関する場所情報を含むと共に、故障の旨を示す情報を含む。例えば、警報メッセージは、警報メッセージを識別するＩＤと、故障の発生日時と、通信装置５が設置されたエリアと、通信装置５の設備種別及び設備名称と、警報内容と、警報ランクとを示す情報が含まれている。
【００２２】
より具体的には、ＩＤが「ｘｘｘｘｘ」、発生日時が「２００５年９月２０日、０時０１分００秒」、エリアが「東北」、設備種別が「基地局」、設備名称が「宮城  ＸＸビル  基地局＃１２」、警報内容が「△△装置異常」、警報ランクが「ＭＪ１」であることを示す情報が警報メッセージに含まれている。設備名称示す情報の中の“＃”以下の英数字は、通信装置５を識別する通信装置ＩＤである。
【００２３】
このように、エリアを示す情報は場所情報に相当する。また、設備名称を示す情報が設置ビルの名称を含む場合、設備名称は場所情報に相当する。更に、通信装置ＩＤが設置場所と関連付けられた英数字である場合、通信装置ＩＤを含む設備名称は場所情報に相当する。
【００２４】
続いて、ネットワーク監視システムを構成する機能的な構成要素について説明する。ネットワーク監視システム１は、重要警報情報データベースＤ１（重要警報情報格納手段）、警報メッセージ受信部Ａ１（警報メッセージ受信手段、警報メッセージ収集手段）、警報メッセージ管理部Ｂ１、警報メッセージ多発検出部Ｃ１（状態監視手段）、及び警報メッセージ表示部Ｅ１（警報メッセージ表示手段）を備えて構成される。これらの各構成要素は、互いに情報の送受信又は情報の入出力が可能に構成されている。
【００２５】
重要警報情報データベースＤ１は、通信装置５の設置場所に対する条件を少なくとも含む重要警報条件情報を格納している。図２に、重要警報情報データベースＤ１の構成例を示す。重要警報情報データベースＤ１は、例えば図２に示すように、通信装置５が設置された「エリア」、通信装置５の「通信装置種別」、通信装置５が設置された「設置ビル」、通信装置を識別する「通信装置ＩＤ」、「警報ランク」、及び「警報メッセージの種別」の各項目についてそれぞれの設定内容を格納し、各項目の設定の組み合わせを示す情報を格納している。これらの設定項目のうち場所情報に対する条件を設定した項目は、「エリア」、「設置ビル」、及び「通信装置ＩＤ」である。
【００２６】
具体的に図２における１行目のデータは、「設置ビルがＡである通信装置」という条件を示す重要警報条件情報である。すなわち、１行目のデータは、Ａビル設置の通信装置から通知される警報メッセージは全て重要警報であることを定義づけている。同様に、２行目のデータは、Ｂビルに設置された基地局である通信装置から通知される警報メッセージは全て重要警報であると定義付けている。３行目のデータは、通信装置ＩＤが“１２”から始まる全ての通信装置から通知される警報メッセージは全て重要警報であると定義づけている。
【００２７】
図１に戻って、警報メッセージ受信部Ａ１は、メッセージ数計測部Ａ１１、動作モード管理部Ａ１２、警報メッセージ収集部Ａ１３、警報メッセージ送信部Ａ１４を備えて構成される。
【００２８】
メッセージ数計測部Ａ１１は、警報メッセージ収集部Ａ１３が後述するように通信装置５における警報メッセージの発行に応じて受信する警報メッセージの単位時間当たりの数を計測する。ただし、メッセージ数計測部Ａ１１は、後述する警報メッセージの再取得時に受信した警報メッセージを計測対象から除外する。また、メッセージ数計測部Ａ１１は、警報メッセージ多発検出部Ｃ１からの収集要求に応答して、計測した数を示す計測情報を警報メッセージ多発検出部Ｃ１へ出力する。
【００２９】
動作モード管理部Ａ１２は、警報メッセージ多発検出部Ｃ１から通知される動作モード変更通知を受信する。動作モード変更通知は、警報メッセージの動作モードを変更する旨の通知である。動作モードには通常監視モード（第一動作モード）と優先監視モード（第二動作モード）がある。動作モード管理部Ａ１２は、動作モード変更通知を受信すると、動作モードを変更し、動作モード管理部Ａ１２内のメモリ（図示せず）に書き込むことにより通常監視モード又は優先監視モードに設定する。
【００３０】
警報メッセージ収集部Ａ１３は、動作モード管理部Ａ１２において管理している動作モードを参照して、動作モードを認識する。そして、警報メッセージ収集部Ａ１３は、通信装置５で発行されて各通信装置５から送信される警報メッセージを逐次受信する。また、警報メッセージ収集部Ａ１３は、ネットワーク監視システム１の起動時及び動作モードの変更時に、管理下にある各通信装置５に問い合わせて現在発行されている警報メッセージを一括して再取得する。
【００３１】
通常監視モードに設定されている場合、警報メッセージ収集部Ａ１３は、通信装置５から受信した全ての警報メッセージを警報メッセージ送信部Ａ１４へ出力する。優先監視モードに設定されている場合、警報メッセージ収集部Ａ１３は、重要警報情報データベースＤ１に格納された重要警報条件情報が示す条件を満たす警報メッセージのみを受信した警報メッセージの中から抽出して重要警報として認識する。そして警報メッセージ収集部Ａ１３は、重要警報として認識した警報メッセージを警報メッセージ送信部Ａ１４へ出力する。
【００３２】
例えば、重要警報情報データベースＤ１に「通信装置ＩＤが“１２”から始まる全ての通信装置から通知される警報メッセージは全て重要警報である」旨の定義が格納されている場合は、優先監視モードにおいて次のような処理がなされる。警報メッセージ収集部Ａ１３は、重要警報情報データベースＤ１から重要警報条件情報を予め読み込み、警報メッセージ収集部Ａ１３内のメモリ（図示せず）に書き込む。そして、警報メッセージ収集部Ａ１３は、通信装置５から警報メッセージを受信する。警報メッセージ収集部Ａ１３は、受信した警報メッセージの中から、通信装置ＩＤが“１２”から始まる全ての警報メッセージを抽出して警報メッセージ送信部Ａ１４へ出力する。
【００３３】
また、警報メッセージ収集部Ａ１３は、優先監視モードに設定されている場合において、条件を満たさない警報メッセージを破棄する。この時点で警報メッセージを破棄することにより、ネットワーク監視システム１における負荷を低減することができる。
【００３４】
なお、通信装置５における警報メッセージの発行に応じて、警報メッセージ収集部Ａ１３によって逐次受信される警報メッセージの単位時間当たりの数が、メッセージ数計測部Ａ１１によって計測されることとなる。すなわち、メッセージ数計測部Ａ１１は、警報メッセージ収集部Ａ１３による各通信装置５への問い合わせに応じて再取得した警報メッセージを計測対象から除外する。
【００３５】
また、警報メッセージ収集部Ａ１３は、通信装置５の故障措置が完了した旨を示す完了情報を通信装置５から受信する。警報メッセージ収集部Ａ１３は、受信した完了情報を警報メッセージ送信部Ａ１４へ出力する。
【００３６】
警報メッセージ送信部Ａ１４は、警報メッセージを警報メッセージ管理部Ｂ１へ送信するインタフェース機能を司る。すなわち、警報メッセージ送信部Ａ１４は、警報メッセージ収集部Ａ１３から出力された警報メッセージ及び完了情報を警報メッセージ管理部Ｂ１へ送信する。
【００３７】
警報メッセージ管理部Ｂ１は、警報メッセージ受信部Ｂ１１、警報メッセージ管理部Ｂ１２、警報メッセージ変換部Ｂ１３、及び警報メッセージ送信部Ｂ１４を備えて構成される。
【００３８】
警報メッセージ受信部Ｂ１１は、警報メッセージ受信部Ａ１とのインタフェース機能を司る。すなわち、警報メッセージ受信部Ｂ１１は、警報メッセージ受信部Ａ１から送信される警報メッセージ及び完了情報を受信し、警報メッセージ管理部Ｂ１２へ出力する。
【００３９】
警報メッセージ管理部Ｂ１２は、警報メッセージ表示部Ｅ１において表示する警報メッセージを以下のように管理する。警報メッセージ管理部Ｂ１２は、警報メッセージ受信部Ｂ１１から入力された警報メッセージと、格納している警報メッセージとを比較し、その差分に当たる警報メッセージのみを既に格納されている警報メッセージと共に警報メッセージ管理部Ｂ１２内に格納する。警報メッセージ管理部Ｂ１２は、警報メッセージ管理部Ｂ１２内の警報管理テーブル（図示せず）を用いて格納されている警報メッセージを管理する。
【００４０】
また、警報メッセージ管理部Ｂ１２は、上記比較の結果、差分に当たる警報メッセージのみを警報メッセージ変換部Ｂ１３へ出力する。すなわち、警報メッセージ管理部Ｂ１２は、新たに管理することとなった警報メッセージのみを警報メッセージ変換部Ｂ１３へ出力する。また、警報メッセージ管理部Ｂ１２は、警報メッセージ受信部Ｂ１１から入力された警報メッセージと、格納している警報メッセージとを比較し、重なる警報メッセージは削除する。
【００４１】
更に、警報メッセージ管理部Ｂ１２では警報メッセージ多発検出部Ｃ１よりモード状態変更通知を受信する。警報メッセージ管理部Ｂ１２では、通常監視モードから優先監視モードへの変更の旨を示すモード状態変更通知を受信すると、格納している警報メッセージをクリアする。また、警報メッセージ管理部Ｂ１２は、完了情報が入力されると、格納している警報メッセージの中から該当する警報メッセージを削除する。そして、警報メッセージ管理部Ｂ１２は、入力された完了情報を警報メッセージ送信部Ｂ１４へ出力する。
【００４２】
警報メッセージ変換部Ｂ１３では、警報メッセージ管理部Ｂ１２によって出力された警報メッセージを保守者が認識できる文字の情報に変換し、警報メッセージ送信部Ｂ１４へ出力する。
【００４３】
警報メッセージ送信部Ｂ１４は、警報メッセージ表示部Ｅ１とのインタフェース機能を司る。すなわち、警報メッセージ送信部Ｂ１４は、警報メッセージ変換部Ｂ１３によって出力された警報メッセージと警報メッセージ管理部Ｂ１２によって出力された完了情報とを警報メッセージ表示部Ｅ１へ送信する。
【００４４】
警報メッセージ表示部Ｅ１は、警報メッセージ受信部Ｅ１１及び警報メッセージ表示部Ｅ１２を備えて構成される。
【００４５】
警報メッセージ受信部Ｅ１１は、警報メッセージ管理部Ｂ１とのインタフェース機能を司る。すなわち、警報メッセージ受信部Ｅ１１は、警報メッセージ管理部Ｂ１から送信される警報メッセージ及び完了情報を受信し、警報メッセージ表示部Ｅ１２へ出力する。
【００４６】
警報メッセージ表示部Ｅ１２は、警報メッセージ受信部Ｅ１１によって出力された警報メッセージをディスプレイ（図示せず）に表示する。また、警報メッセージ表示部Ｅ１２は、優先監視モードへの変更の旨を示すモード変更通知を警報メッセージ多発検出部Ｃ１から受信すると、表示している警報メッセージをクリアする。この処理により、通常監視モードから優先監視モードへ変化した時に重要警報のみを表示させることができる。また、完了情報が入力されると、警報メッセージ表示部Ｅ１２は、表示している警報メッセージの中から該当する警報メッセージを削除する。
【００４７】
警報メッセージ多発検出部Ｃ１は、メッセージ数収集部Ｃ１１、状態監視部Ｃ１２（状態監視手段）、及びモード変更通知部Ｃ１３を備えて構成される。
【００４８】
メッセージ数収集部Ｃ１１は、計測情報を要求する旨の収集要求を周期的に警報メッセージ受信部Ａ１へ出力する。そして、メッセージ数収集部Ｃ１１は、収集要求に応じてメッセージ数計測部Ａ１１から出力される計測情報を取得する。メッセージ数収集部Ｃ１１は、取得した計測情報を状態監視部Ｃ１２へ出力する。
【００４９】
状態監視部Ｃ１２は、メッセージ数収集部Ｃ１１から出力された計測情報に基づいて、動作モードを次のように設定する。状態監視部Ｃ１２は、計測情報が示す単位時間当たりに警報メッセージ収集部Ａ１３が受信した警報メッセージ数と、その時点の動作モード状態に応じたしきい値と、を比較する。しきい値として、通常監視モードにおいては、優先監視モードに移行する場合の優先監視移行しきい値が設定されている。また、優先監視モードにおいては、通常監視モードに移行する通常監視移行しきい値が設定されている。
【００５０】
通常監視モードに設定されている場合に、計測情報が示す警報メッセージ数が優先監視移行しきい値を超えると、状態監視部Ｃ１２は、動作モードを通常監視モードから優先監視モードへ変更して設定する。優先監視モードに設定されている場合に、計測情報が示す警報メッセージ数が通常監視移行しきい値を下回ると、状態監視部Ｃ１２は、動作モードを優先監視モードから通常監視モードへ変更して設定する。状態監視部Ｃ１２は、動作モードを変更すると、変更した動作モードを状態監視部Ｃ１２内のメモリ（図示せず）に書き込む。
【００５１】
すなわち、状態監視部Ｃ１２は、警報メッセージ受信部Ａ１が単位時間当たりに受信する警報メッセージの数に基づいて、動作モードを通常監視モード又は優先監視モードに設定する。そして、状態監視部Ｃ１２は、動作モードを変更した旨を示すモード変更通知をモード変更通知部Ｃ１３へ出力する。
【００５２】
モード変更通知部Ｃ１３は、モード変更通知が状態監視部Ｃ１２によって出力されると、モード変更通知の電文を作成する。そして、モード変更通知部Ｃ１３は、作成したモード変更通知の電文を警報メッセージ受信部Ａ１と警報メッセージ管理部Ｂ１と警報メッセージ表示部Ｅ１とへ送信する。
【００５３】
次に、図３〜８を参照して本実施形態に係るネットワーク監視システム１の動作を説明すると共に、本実施形態に係るネットワーク監視方法について説明する。ネットワーク監視システム１で管理対象となっている通信装置５で故障が発生すると、通信装置５では、故障を通知するために警報メッセージを作成し、ネットワーク監視システム１へ送信する。ネットワーク監視システム１は、通信装置５から受信する警報メッセージを表示する装置である。
【００５４】
まず、ネットワーク監視システム１におけるネットワーク監視方法について図３を参照して説明する。図３は、本実施形態に係るネットワーク監視システム１における動作を示すフロー図である。
【００５５】
ネットワーク監視方法は、警報メッセージ受信ステップＳ１、警報メッセージ収集ステップＳ２、警報メッセージ管理ステップＳ３、警報メッセージ表示ステップＳ４、及び状態監視ステップ（図示せず）を備える。
【００５６】
警報メッセージ受信ステップＳ１において、警報メッセージが警報メッセージ受信部Ａ１によって受信される。
【００５７】
優先監視モードに設定されている場合、警報メッセージ受信ステップＳ１の後に警報メッセージ収集ステップＳ２が実行される。警報メッセージ収集ステップＳ２において、警報メッセージ受信部Ａ１によって受信された警報メッセージの中から重要警報条件情報が含む条件を満たす警報メッセージが警報メッセージ収集部Ａ１３によって収集される。
【００５８】
警報メッセージ収集ステップＳ２において警報メッセージが収集されると、警報メッセージ管理ステップＳ３において、警報メッセージ表示部Ｅ１によって表示される警報メッセージが管理される。
【００５９】
警報メッセージ管理ステップＳ３の後、警報メッセージ表示ステップＳ４において、警報メッセージ収集ステップＳ２において収集された警報メッセージが警報メッセージ表示部Ｅ１によって表示される。
【００６０】
また、周期的に状態監視ステップが実行される。状態監視ステップにおいては、優先監視モードの設定を行うか通常監視モードの設定を行うかの判定が、警報メッセージ多発検出部Ｃ１によって実行される。
【００６１】
引き続いて、各ステップについてより詳細に説明する。まず、警報メッセージ受信ステップＳ１及び警報メッセージ収集ステップＳ２を含む警報メッセージ送信処理について図４を参照して説明する。図４は、本実施形態に係るネットワーク警報システムにおける警報メッセージ送信処理のフロー図である。
【００６２】
予め、重要警報条件情報が重要警報情報データベースＤ１から警報メッセージ収集部Ａ１３によって読み込まれ（Ｓ１１）、警報メッセージ収集部Ａ１３内のメモリに書き込まれる（Ｓ１２）。警報メッセージが通信装置５から警報メッセージ収集部Ａ１３によって受信される（Ｓ１３）。
【００６３】
受信した警報メッセージが、警報メッセージ収集部Ａ１３による問い合わせに応じて一括して再取得された警報メッセージである場合（Ｓ１４でＹＥＳ）は、ステップ１６へ進む。一方、受信した警報メッセージが、通信装置５における警報メッセージの発行に応じて、警報メッセージ収集部Ａ１３によって逐次受信された警報メッセージである場合（Ｓ１４でＮＯ）は、メッセージ計測部Ａ１１によって、単位時間当たりの警報メッセージ数が加算される（Ｓ１５）。
【００６４】
そして、動作モードが通常監視モードであれば（Ｓ１６でＮＯ）、受信された警報メッセージが警報メッセージ収集部Ａ１３によって警報メッセージ送信部Ａ１４へ出力される。
【００６５】
動作モードが優先監視モードであれば（Ｓ１６でＹＥＳ）、受信した警報メッセージに含まれる情報と、重要警報条件情報が示す条件と、が警報メッセージ収集部Ａ１３によって照合される。そして、条件を満足した警報メッセージが重要警報として警報メッセージ収集部Ａ１３によって認識されて警報メッセージ送信部Ａ１４へ出力される（Ｓ１７でＹＥＳ）。
【００６６】
警報メッセージが警報メッセージ送信部Ａ１４へ出力されると、出力された警報メッセージが警報メッセージ送信部Ａ１４によって警報メッセージ管理部Ｂ１へ送信される（Ｓ１８）。条件を満足していない警報メッセージは、その時点で警報メッセージ収集部Ａ１３によって破棄される（Ｓ１９）。
【００６７】
このようにして警報メッセージがネットワーク監視システム１によって受信され、動作モードに応じた警報メッセージが警報メッセージ管理部Ｂ１へ送信される。この動作により優先監視モードでは重要警報のみが処理されることとなり、ネットワーク監視システム１の処理負荷を軽減させることができる。
【００６８】
次に、警報メッセージ管理ステップＳ３に対応する警報メッセージ管理処理について図５を参照して説明する。図５は、本実施形態に係るネットワーク監視システムにおける警報メッセージ管理処理を示すフロー図である。
【００６９】
まず、警報メッセージ受信部Ａ１から送信された警報メッセージが、警報メッセージ受信部Ｂ１１によって受信され、警報メッセージ管理部Ｂ１２へ出力される（Ｓ２１）。警報メッセージ管理部Ｂ１２へ出力された警報メッセージが、警報メッセージ管理部Ｂ１２によって管理されていれば（Ｓ２２でＹＥＳ）、管理されている警報メッセージが破棄され（Ｓ２３）、警報メッセージ管理処理を終了する。
【００７０】
警報メッセージ管理部Ｂ１２へ出力された警報メッセージが、警報メッセージ管理部Ｂ１２によって管理されていなければ（Ｓ２２でＮＯ）、新たに管理されることとなり、警報メッセージ管理部Ｂ１２によって格納されて警報管理テーブルが更新される（Ｓ２４）。そして、警報メッセージ管理部Ｂ１２によって新たに管理されることとなった警報メッセージが、警報メッセージ変換部Ｂ１３によって変換され、警報メッセージ送信部Ｂ１４によって警報メッセージ表示部Ｅ１へ送信される（Ｓ２５）。このようにして警報メッセージが管理される。
【００７１】
次に、警報メッセージ表示ステップＳ４に対応する警報メッセージ表示処理について図６を参照して説明する。図６は、本実施形態に係るネットワーク監視システムにおける警報メッセージ表示処理を示すフロー図である。
【００７２】
警報メッセージ管理部Ｂ１によって送信された警報メッセージが、警報メッセージ受信部Ｅ１１によって受信される（Ｓ３１）。警報メッセージ受信部Ｅ１１によって受信された警報メッセージは、警報メッセージ表示部Ｅ１２によって表示される（Ｓ３２）。
【００７３】
続いて、状態監視ステップに対応する動作モードの判定手順について図７を参照して説明する。図７は、本実施形態に係るネットワーク監視システムにおける動作モード判定手順を示すフロー図である。
【００７４】
単位時間当たりの警報メッセージの受信数を示す計測情報が、メッセージ数計測部Ａ１１から周期的にメッセージ数収集部Ｃ１１によって収集される（Ｓ４１）。計測情報が示す警報メッセージ数とその時点の動作モードに応じたしきい値（通常状態では優先監視移行しきい値、優先監視状態では通常監視移行しきい値）との比較が、状態監視部Ｃ１２によって行われる。
【００７５】
そして、通常監視モードにおいて警報メッセージ数が優先監視移行しきい値を超えた場合、又は、優先監視モードにおいて通常監視移行しきい値を下回った場合には、管理するモードを変更する必要があると状態監視部Ｃ１２によって判断される（Ｓ４２）。変更する必要がない場合（Ｓ４２で変更無し）は、動作モード判定を終了する。
【００７６】
変更が必要な場合（Ｓ４２で変更あり）には、動作モードが状態監視部Ｃ１２によって変更される（Ｓ４３）。動作モードが変更されると、変更された動作モードが状態監視部Ｃ１２によって状態監視部Ｃ１２内のメモリに書き込まれる（Ｓ４４）。
【００７７】
また、動作モードが変更されると、モード変更通知がモード変更通知部Ｃ１３によって警報メッセージ受信部Ａ１内動作モード管理部Ａ１２と、警報メッセージ管理部Ｂ１内警報メッセージ管理部Ｂ１２と警報メッセージ表示部Ｅ１内警報メッセージ表示部Ｅ１１へ送信される（Ｓ４５）。このようにして、動作モードが変更され、各構成要素にモード変更通知が通知される。
【００７８】
引き続いて、モード変更通知を通知された場合の、警報メッセージ受信部Ａ１及び警報メッセージ管理部Ｂ１の動作モード変更手順について図８及び９を参照して説明する。図８は、本実施形態に係るネットワーク監視システムにおける警報メッセージ受信部Ａ１における動作モード変更手順を示すフロー図である。図９は、本実施形態に係るネットワーク監視システムにおける警報メッセージ管理部Ｂ１における動作モード変更手順を示すフロー図である。
【００７９】
まず図８を参照して、警報メッセージ受信部Ａ１について説明する。警報メッセージ多発検出部Ｃ１から送信されたモード変更通知が動作モード管理部Ａ１２によって受信される（Ｓ５１）。モード変更通知が受信されると、動作モード管理部Ａ１２によって動作モードが変更され（Ｓ５２）、変更された動作モードが動作モード管理部Ａ１２によって動作モード管理部Ａ１２内のメモリに書き込まれる（Ｓ５３）。このようにして、警報メッセージ受信部Ａ１において動作モードが変更される。
【００８０】
その後、警報メッセージ収集部Ａ１３によって格納された警報メッセージがクリアされる。そして、通信装置５へ警報メッセージの問合せが、警報メッセージ収集部Ａ１３によって行われ、現在発行されている警報メッセージが再び警報メッセージ収集部Ａ１３によって収集される（Ｓ５４）。
【００８１】
次に、図９を参照して、警報メッセージ管理部Ｂ１について説明する。警報メッセージ管理部Ｂ１では、モード変更通知が警報メッセージ管理部Ｂ１２によって受信される（Ｓ６１）。受信したモード変更通知が通常監視モードの場合（Ｓ６２でＮＯ）は、動作モード変更処理を終了する。受信したモード状態変更通知が優先監視モードの場合（Ｓ６２でＹＥＳ）には、警報メッセージ管理部Ｂ１２における警報管理テーブルが警報メッセージ管理部Ｂ１２によってクリアされる（Ｓ６３）。
【００８２】
このようにして警報メッセージ受信部Ａ１から送信される重要警報のみを格納することができる状態とする。また、モード状態変更通知が通常監視モードへの変更を示す場合には、警報管理テーブルのクリアを行わず、その後通知される警報で表示されてない警報を追加しいていく形で重要警報の後に表示できるようにする。
【００８３】
また、完了情報が、ネットワーク監視システム１によって受信された場合の動作は、次のようになる。完了情報が、警報メッセージ収集部Ａ１３によって受信されると、警報メッセージ送信部Ａ１４及び警報メッセージ受信部Ｂ１２を介して、警報メッセージ管理部Ｂ１２に入力される。完了情報が警報メッセージ管理部Ｂ１２に入力されると、格納している警報メッセージの中から該当する警報メッセージが警報メッセージ管理部Ｂ１２によって削除される。
【００８４】
更に、完了情報が、警報メッセージ送信部Ｂ１４及び警報メッセージ受信部Ｅ１１を介して、警報メッセージ表示部Ｅ１２に入力される。完了情報が警報メッセージ表示部Ｅ１２に入力されると、表示している警報メッセージの中から該当する警報メッセージが、警報メッセージ表示部Ｅ１２によって削除される。このようにして、通信装置５の故障措置が完了すると、対応する警報メッセージは、警報メッセージ表示部Ｅ１２の表示画面から削除される。
【００８５】
引き続いて、ネットワーク監視システム１及びネットワーク監視方法による効果について説明する。
【００８６】
ネットワークでは、基地局制御装置、交換機等の特定の通信装置５が故障すると、他の通信装置５が機能不能に陥る場合が多い。また、人口密度の高いエリアの通信を管理する特定の通信装置５が故障すると、多くの機関や人に影響を与えることとなる。更に、重要な機関における通信を管理する特定の通信装置５が故障した場合も、故障による影響が大きい。このような特定の通信装置５は、予め既知の特定の場所に設置されている。
【００８７】
このような状況において、本実施形態のネットワーク監視システム１及びネットワーク監視方法においては、警報メッセージ受信部Ａ１（警報メッセージ収集部Ａ１３）において場所情報を含む警報メッセージを受信し、警報メッセージ受信部Ａ１（警報メッセージ収集部Ａ１３）が重要警報情報データベースに格納された場所情報に対応する条件を満たす警報メッセージを受信した警報メッセージの中から抽出するので、受信した警報メッセージの中から優先的に故障措置をとるべき通信装置から受信した警報メッセージを抽出することができる。また、警報メッセージ表示部Ｅ１は、警報メッセージ収集部Ａ１３が抽出した警報メッセージを表示するので、重要警報条件情報に含まれる条件を満たさない警報メッセージを排除して優先的に故障措置をとるべき通信装置からの警報メッセージを優先的に表示することができる。このように警報メッセージを表示することにより、重要故障の早期対応を効率的に実現できる。
【００８８】
また、状態監視部Ｃ１２によって優先監視モードに設定されている場合に警報メッセージ表示部Ｅ１が警報メッセージ収集部Ａ１３によって抽出された警報メッセージを対象にして表示するので、受信する警報メッセージが多い緊急時に優先的に故障措置をとるべき通信装置５の故障を通知する警報メッセージを優先的に表示することができる。また、状態監視部Ｃ１２によって通常監視モードに設定されている場合に警報メッセージ表示部Ｅ１が警報メッセージ受信部Ａ１（警報メッセージ収集部Ａ１３）によって受信された警報メッセージを対象にして表示するので、受信する警報メッセージが少ない通常時に再び受信された警報メッセージであって優先監視モードにおいて表示されなかった警報メッセージを含めて受信した警報メッセージを表示することができる。すなわち、緊急時に重要な警報メッセージをより効率的に表示できると共に、緊急が解除されると受信した警報メッセージを漏れなく表示することができる。
【００８９】
また、動作モードが通常監視モードから優先監視モードへ設定されると、警報メッセージ表示部Ｅ１が通常監視モードにおいて表示していた警報メッセージを削除するので、警報メッセージ表示部Ｅ１は、優先監視モードにおいて、新たに表示することとなる警報メッセージのみを表示することができる。
【００９０】
また、警報メッセージ管理部Ｂ１が、通常監視モードにおいて警報メッセージ受信部Ａ１が受信した警報メッセージを格納し、緊急監視モードにおいて警報メッセージ収集部Ａ１３が抽出した警報メッセージを格納するので、警報メッセージ表示部Ｅ１が表示する警報メッセージを把握することができる。そして、新たに受信又は抽出された警報メッセージが警報メッセージ管理部Ｂ１によって格納された警報メッセージに相当する場合に、警報メッセージ管理部Ｂ１は新たに受信又は抽出された警報メッセージを削除するので、既に警報メッセージ表示部Ｅ１によって表示されている警報メッセージを新たに表示することを防止できる。また、警報メッセージ管理部Ｂ１は、通常監視モードから優先監視モードへ設定されると通常監視モードにおいて格納した警報メッセージを削除するので、警報メッセージ表示部Ｅ１が優先監視モードにおいて新たに表示することとなる警報メッセージのみを格納することができる。
【００９１】
また、優先監視モードにおいて、警報メッセージ収集部Ａ１３が重要警報条件情報に含まれる条件を満たさない警報メッセージを破棄するので、ネットワーク監視システム１における負荷を低減することができる。なお、このように破棄された警報メッセージは、該当する通信装置５の故障が直らない限り、通常監視モードへ変更した際に、再び警報メッセージ収集部Ａ１３によって収集され、警報メッセージ表示部Ｅ１２によって表示されることとなる。
【００９２】
本発明は、上記実施形態に限定されるものではなく、種々の変形が可能である。例えば、上記実施形態では、メッセージ数計測部Ａ１１で計測する警報メッセージ数を基に状態監視部Ｃ１２で動作モードを変更するか否かの判断を行う例を記載しているが、警報メッセージ数に代わり、システム全体の負荷量を観測できるＣＰＵ使用率、バッファ使用率、バッファ長などの情報を基に実施することも可能である。
【００９３】
また、上記実施形態では、ネットワーク監視システム１で扱う全ての通信装置５に対して一元化した処理を実施しているが、ネットワーク監視システム１で複数の通信装置種別、例えば、交換機、基地局、中継装置などを扱う場合、通信装置種別毎に本方式を適用することも可能である。この場合、例えば、基地局で同時に多くの装置で故障が発生した場合でも交換機は通常通りの監視を行うことが可能となる。
【００９４】
また、上記実施形態の警報メッセージ収集部Ａ１３は、ネットワーク監視システム１の起動時及び動作モードの変更時に、各通信装置５に問い合わせて、発行されている警報メッセージを収集し、その後は、逐次、各通信装置５から送信される警報メッセージを収集することとした。この警報メッセージを収集する方法は種々の変形が可能である。例えば、常に定期的に、警報メッセージ収集部Ａ１３が各通信装置５へ問い合わせて、問い合わせ時に発行されている警報メッセージを収集することとしてもよい。
【図面の簡単な説明】
【００９５】
【図１】本実施形態に係るネットワーク監視システムのブロック図である。
【図２】本実施形態に係るネットワーク監視システムに含まれる重要警報情報データベースの構成図である。
【図３】本実施形態に係るネットワーク監視システムにおける動作を示すフロー図である。
【図４】本実施形態に係るネットワーク監視システムにおける警報メッセージ送信処理を示すフロー図である。
【図５】本実施形態に係るネットワーク監視システムにおける警報メッセージ管理処理を示すフロー図である。
【図６】本実施形態に係るネットワーク監視システムにおける警報メッセージ表示処理を示すフロー図である。
【図７】本実施形態に係るネットワーク監視システムにおける動作モード判定手順を示すフロー図である。
【図８】本実施形態に係るネットワーク監視システムにおける警報メッセージ受信部Ａ１における動作モード変更手順を示すフロー図である。
【図９】本実施形態に係るネットワーク監視システムにおける警報メッセージ管理部Ｂ１における動作モード変更手順を示すフロー図である。
【符号の説明】
【００９６】
１…ネットワーク監視システム、Ａ１…警報メッセージ受信部、Ａ１１…メッセージ数計測部、Ａ１２…動作モード管理部、Ａ１３…警報メッセージ収集部、Ａ１４…警報メッセージ送信部、Ｂ１…警報メッセージ管理部、Ｂ１１…警報メッセージ受信部、Ｂ１２…警報メッセージ管理部、Ｂ１３…警報メッセージ変換部、Ｂ１４…警報メッセージ送信部、Ｃ１…警報メッセージ多発検出部、Ｃ１１…メッセージ数収集部、Ｃ１２…状態監視部、Ｃ１３…モード変更通知部、Ｄ１…データベース、Ｅ１…警報メッセージ表示部、Ｅ１１…警報メッセージ受信部、Ｅ１２…警報メッセージ表示部。
【図１】
2007156805.tif 000003
【図２】
2007156805.tif 000004
【図３】
2007156805.tif 000005
【図４】
2007156805.tif 000006
【図５】
2007156805.tif 000007
【図６】
2007156805.tif 000008
【図７】
2007156805.tif 000009
【図８】
2007156805.tif 000010
【図９】
2007156805.tif 000011